(57)【特許請求の範囲】
【請求項１】
冷媒を圧縮する圧縮機と、
車室内に供給する空気が流通する空気流通路と、
該空気流通路に設けられ、冷媒を放熱させて前記車室内に供給される空気を加熱する放熱器と、
前記車室外に設けられて冷媒を吸熱させる室外熱交換器と、
制御手段とを備え、
該制御手段により、前記圧縮機から吐出された冷媒を前記放熱器にて放熱させ、放熱した当該冷媒を減圧した後、前記室外熱交換器にて吸熱させて前記車室内を暖房する車両用空気調和装置において、
前記放熱器に対して、前記空気流通路を流れる空気の上流側に設けられた補助加熱手段を備え、
前記制御手段は、前記補助加熱手段と前記放熱器により前記車室内に供給される空気を加熱する協調運転を実行すると共に、
前記放熱器の入口冷媒温度Ｔｃｘｉｎが当該放熱器の出口冷媒温度ＴＣＩより低くなる条件（Ｔｃｘｉｎ＜ＴＣＩ）が成立したことに基づき、前記圧縮機を停止することを特徴とする車両用空気調和装置。
【請求項２】
冷媒を圧縮する圧縮機と、
車室内に供給する空気が流通する空気流通路と、
該空気流通路に設けられ、冷媒を放熱させて前記車室内に供給される空気を加熱する放熱器と、
前記車室外に設けられて冷媒を吸熱させる室外熱交換器と、
制御手段とを備え、
該制御手段により、前記圧縮機から吐出された冷媒を前記放熱器にて放熱させ、放熱した当該冷媒を減圧した後、前記室外熱交換器にて吸熱させて前記車室内を暖房する車両用空気調和装置において、
前記放熱器に対して、前記空気流通路を流れる空気の上流側に設けられた補助加熱手段を備え、
前記制御手段は、前記補助加熱手段と前記放熱器により前記車室内に供給される空気を加熱する協調運転を実行すると共に、
前記放熱器と前記補助加熱手段が発生する全体の暖房能力である全体能力Ｑｔｏｔａｌと前記補助加熱手段が発生する暖房能力である補助暖房能力Ｑｈｔｒとの差が所定値Ｘ１より小さくなる条件（（Ｑｔｏｔａｌ−Ｑｈｔｒ）＜Ｘ１）が成立したことに基づき、前記圧縮機を停止することを特徴とする車両用空気調和装置。
【請求項３】
冷媒を圧縮する圧縮機と、
車室内に供給する空気が流通する空気流通路と、
該空気流通路に設けられ、冷媒を放熱させて前記車室内に供給される空気を加熱する放熱器と、
前記車室外に設けられて冷媒を吸熱させる室外熱交換器と、
制御手段とを備え、
該制御手段により、前記圧縮機から吐出された冷媒を前記放熱器にて放熱させ、放熱した当該冷媒を減圧した後、前記室外熱交換器にて吸熱させて前記車室内を暖房する車両用空気調和装置において、
前記放熱器に対して、前記空気流通路を流れる空気の上流側に設けられた補助加熱手段を備え、
前記制御手段は、前記補助加熱手段と前記放熱器により前記車室内に供給される空気を加熱する協調運転を実行すると共に、
前記放熱器と前記補助加熱手段が発生する全体の暖房能力である全体能力Ｑｔｏｔａｌと前記補助加熱手段が発生する暖房能力である補助暖房能力Ｑｈｔｒとの差（Ｑｔｏｔａｌ−Ｑｈｔｒ）と、前記圧縮機の消費電力Ｐｈｐとの比が所定値Ｘ２より小さくなる条件（（Ｑｔｏｔａｌ−Ｑｈｔｒ）／Ｐｈｐ＜Ｘ２）が成立したことに基づき、前記圧縮機を停止することを特徴とする車両用空気調和装置。
【請求項４】
冷媒を圧縮する圧縮機と、
車室内に供給する空気が流通する空気流通路と、
該空気流通路に設けられ、冷媒を放熱させて前記車室内に供給される空気を加熱する放熱器と、
前記車室外に設けられて冷媒を吸熱させる室外熱交換器と、
制御手段とを備え、
該制御手段により、前記圧縮機から吐出された冷媒を前記放熱器にて放熱させ、放熱した当該冷媒を減圧した後、前記室外熱交換器にて吸熱させて前記車室内を暖房する車両用空気調和装置において、
前記放熱器に対して、前記空気流通路を流れる空気の上流側に設けられた補助加熱手段を備え、
前記制御手段は、前記補助加熱手段と前記放熱器により前記車室内に供給される空気を加熱する協調運転を実行すると共に、
前記放熱器の入口冷媒温度Ｔｃｘｉｎが当該放熱器の出口冷媒温度ＴＣＩより低くなる条件（Ｔｃｘｉｎ＜ＴＣＩ）と、
前記放熱器と前記補助加熱手段が発生する全体の暖房能力である全体能力Ｑｔｏｔａｌと前記補助加熱手段が発生する暖房能力である補助暖房能力Ｑｈｔｒとの差が所定値Ｘ１より小さくなる条件（（Ｑｔｏｔａｌ−Ｑｈｔｒ）＜Ｘ１）と、
前記放熱器と前記補助加熱手段が発生する全体の暖房能力である全体能力Ｑｔｏｔａｌと前記補助加熱手段が発生する暖房能力である補助暖房能力Ｑｈｔｒとの差（Ｑｔｏｔａｌ−Ｑｈｔｒ）と、前記圧縮機の消費電力Ｐｈｐとの比が所定値Ｘ２より小さくなる条件（（Ｑｔｏｔａｌ−Ｑｈｔｒ）／Ｐｈｐ＜Ｘ２）のうちの何れか、若しくは、それらの組み合わせが成立したことに基づき、前記圧縮機を停止することを特徴とする車両用空気調和装置。
【請求項５】
前記補助加熱手段は、ＰＴＣヒータであることを特徴とする請求項１乃至請求項４のうちの何れかに記載の車両用空気調和装置。
【請求項６】
前記制御手段は前記協調運転において、要求される放熱器の暖房能力である要求暖房能力ＴＧＱと前記放熱器が発生する暖房能力Ｑｈｐとを比較し、該暖房能力Ｑｈｐが前記要求暖房能力ＴＧＱより不足する分を前記補助加熱手段の加熱により補完することを特徴とする請求項１乃至請求項５のうちの何れかに記載の車両用空気調和装置。
【請求項７】
前記制御手段は、前記条件が成立した状態が所定時間継続した場合、前記圧縮機を停止することを特徴とする請求項１乃至請求項６のうちの何れかに記載の車両用空気調和装置。
【請求項８】
前記制御手段は、前記圧縮機の起動初期には前記条件の成立を判定しないことを特徴とする請求項１乃至請求項７のうちの何れかに記載の車両用空気調和装置。
【請求項９】
前記制御手段は、前記圧縮機の起動後、所定時間経過するまで前記条件の成立を判定しないことを特徴とする請求項８に記載の車両用空気調和装置。
【発明の詳細な説明】
【技術分野】
【０００１】
本発明は、車両の車室内を空調するヒートポンプ方式の空気調和装置、特にハイブリッド自動車や電気自動車に適用可能な空気調和装置に関するものである。
【背景技術】
【０００２】
近年の環境問題の顕在化から、ハイブリッド自動車や電気自動車が普及するに至っている。そして、このような車両に適用することができる空気調和装置として、冷媒を圧縮して吐出する圧縮機と、車室内に供給する空気が流通する空気流通路に設けられて冷媒を放熱させる放熱器と、空気流通路に設けられて冷媒を吸熱させる吸熱器と、車室外側に設けられて冷媒を放熱又は吸熱させる室外熱交換器を備え、圧縮機から吐出された冷媒を放熱器において放熱させ、この放熱器において放熱した冷媒を室外熱交換器において吸熱させる暖房モードと、圧縮機から吐出された冷媒を少なくとも放熱器において放熱させ、放熱器において放熱した冷媒を少なくとも吸熱器において吸熱させる除湿モードと、圧縮機から吐出された冷媒を室外熱交換器において放熱させ、吸熱器において吸熱させる冷房モードの各運転モードを切り換えて実行するものが開発されている（例えば、特許文献１参照）。
【０００３】
また、特許文献１では放熱器の空気上流側に電気ヒータから構成された補助加熱手段を設け、上記暖房モードにおいて放熱器による暖房能力が不足する場合、この補助加熱手段（電気ヒータ）を発熱させ、空気流通路から車室内に供給される空気を加熱して暖房能力を補完（放熱器と補助加熱手段の協調運転）するようにしていた。
【先行技術文献】
【特許文献】
【０００４】
【特許文献１】特開２０１４−２１３７６５号公報
【発明の概要】
【発明が解決しようとする課題】
【０００５】
ここで、この種車両用空気調和装置においては上記の如き補助加熱手段としてＰＴＣ（Ｐｏｓｉｔｉｖｅ  Ｔｅｍｐｅｒａｔｕｒｅ  Ｃｏｅｆｆｉｃｉｅｎｔ：正温度係数）ヒータが採用される場合が多い。ＰＴＣヒータはその特性上、当該ＰＴＣヒータに流入する空気温度が低い方が性能を発揮できるため（抵抗値が高くならない）、放熱器よりも空気上流側に設けることが効率的である。
【０００６】
一方、車室内の暖房運転の時間が経過して室外熱交換器に着霜が成長した場合、外気との熱交換効率が低下する関係上、外気からの吸熱量が低下するため、放熱器が発生する暖房能力も低下する。また、外気温度が低くなった場合には圧縮機に吸い込まれる冷媒の密度が低下するため、この場合にも放熱器が発生する暖房能力が低下してくる。他方、前述した如く補助加熱手段（ＰＴＣヒータ）は係る放熱器の暖房能力の低下分を補うかたちで発熱されるため、放熱器の暖房能力が低下してくると、やがて補助加熱手段の暖房能力が放熱器の暖房能力より大きくなる場合が発生する。
【０００７】
この様子を図６及び図７を用いて説明する。図６においてＴＧＱは要求される放熱器の暖房能力である要求暖房能力であり、Ｑｈｐは放熱器が発生する暖房能力（ＨＰ能力）である。Ｑｈｔｒは補助加熱手段が発生する補助暖房能力であり、Ｑｔｏｔａｌはこれら放熱器の暖房能力Ｑｈｐと補助加熱手段の補助暖房能力Ｑｈｔｒの和である全体能力（Ｑｔｏｔａｌ＝Ｑｈｐ＋Ｑｈｔｒ）である。
【０００８】
暖房モードの運転初期には室外熱交換器の着霜等は生じていないため、図７の左側に示すように放熱器の暖房能力Ｑｈｐと補助加熱手段の補助暖房能力Ｑｈｔｒを合計したものが全体能力Ｑｔｏｔａｌとなり、これが要求能力ＴＧＱを満たすように圧縮機や補助加熱手段が制御される。
【０００９】
しかしながら、前述した如き要因で放熱器の暖房能力Ｑｈｐが低下してくると、図６に示すようにやがて補助加熱手段の補助暖房房力Ｑｈｔｒが放熱器の暖房能力Ｑｈｐを上回るようになる。そして、このような状況となると、図６の右端に示す如く全体能力Ｑｔｏｔａｌが低下する現象が生じる。その理由は、補助加熱手段が放熱器の空気上流側に設けられている場合、補助加熱手段で加熱された空気が放熱器に流入するかたちとなるため、放熱器が放熱せずに逆に空気から熱を吸収するかたちとなるためである。
【００１０】
このように放熱器が吸熱する状況（放熱器の吸熱現象）に陥ると、図７の右側に示すように全体能力Ｑｔｏｔａｌは低下し、要求暖房能力ＴＧＱを満足することができなくなって車室内を快適に暖房することができなくなると共に、放熱器の暖房能力を発生するための圧縮機の動力が無駄となり、余分な電力を消費することになる（図６に示す余剰消費動力）。
【００１１】
本発明は、係る従来の技術的課題を解決するために成されたものであり、所謂ヒートポンプ方式の空気調和装置において、特に補助加熱手段を放熱器の空気上流側に設ける場合に発生する無駄な消費電力を低減し、快適な車室内暖房も実現することを目的とする。
【課題を解決するための手段】
【００１２】
請求項１の発明の車両用空気調和装置は、冷媒を圧縮する圧縮機と、車室内に供給する空気が流通する空気流通路と、この空気流通路に設けられ、冷媒を放熱させて車室内に供給される空気を加熱する放熱器と、車室外に設けられて冷媒を吸熱させる室外熱交換器と、制御手段とを備え、この制御手段により、圧縮機から吐出された冷媒を放熱器にて放熱させ、放熱した当該冷媒を減圧した後、室外熱交換器にて吸熱させて車室内を暖房するものであって、放熱器に対して、空気流通路を流れる空気の上流側に設けられた補助加熱手段を備え、制御手段は、補助加熱手段と放熱器により車室内に供給される空気を加熱する協調運転を実行すると共に、放熱器の入口冷媒温度Ｔｃｘｉｎが当該放熱器の出口冷媒温度ＴＣＩより低くなる条件（Ｔｃｘｉｎ＜ＴＣＩ）が成立したことに基づき、圧縮機を停止することを特徴とする。
【００１３】
請求項２の発明の車両用空気調和装置は、冷媒を圧縮する圧縮機と、車室内に供給する空気が流通する空気流通路と、この空気流通路に設けられ、冷媒を放熱させて車室内に供給される空気を加熱する放熱器と、車室外に設けられて冷媒を吸熱させる室外熱交換器と、制御手段とを備え、この制御手段により、圧縮機から吐出された冷媒を放熱器にて放熱させ、放熱した当該冷媒を減圧した後、室外熱交換器にて吸熱させて車室内を暖房するものであって、放熱器に対して、空気流通路を流れる空気の上流側に設けられた補助加熱手段を備え、制御手段は、補助加熱手段と放熱器により車室内に供給される空気を加熱する協調運転を実行すると共に、放熱器と補助加熱手段が発生する全体の暖房能力である全体能力Ｑｔｏｔａｌと補助加熱手段が発生する暖房能力である補助暖房能力Ｑｈｔｒとの差が所定値Ｘ１より小さくなる条件（（Ｑｔｏｔａｌ−Ｑｈｔｒ）＜所定値Ｘ１）が成立したことに基づき、圧縮機を停止することを特徴とする。
【００１４】
請求項３の発明の車両用空気調和装置は、冷媒を圧縮する圧縮機と、車室内に供給する空気が流通する空気流通路と、この空気流通路に設けられ、冷媒を放熱させて車室内に供給される空気を加熱する放熱器と、車室外に設けられて冷媒を吸熱させる室外熱交換器と、制御手段とを備え、この制御手段により、圧縮機から吐出された冷媒を放熱器にて放熱させ、放熱した当該冷媒を減圧した後、室外熱交換器にて吸熱させて車室内を暖房するものであって、放熱器に対して、空気流通路を流れる空気の上流側に設けられた補助加熱手段を備え、制御手段は、補助加熱手段と放熱器により車室内に供給される空気を加熱する協調運転を実行すると共に、放熱器と補助加熱手段が発生する全体の暖房能力である全体能力Ｑｔｏｔａｌと補助加熱手段が発生する暖房能力である補助暖房能力Ｑｈｔｒとの差（Ｑｔｏｔａｌ−Ｑｈｔｒ）と、圧縮機の消費電力Ｐｈｐとの比が所定値Ｘ２より小さくなる条件（（Ｑｔｏｔａｌ−Ｑｈｔｒ）／Ｐｈｐ＜Ｘ２）が成立したことに基づき、圧縮機を停止することを特徴とする。
【００１５】
請求項４の発明の車両用空気調和装置は、冷媒を圧縮する圧縮機と、車室内に供給する空気が流通する空気流通路と、この空気流通路に設けられ、冷媒を放熱させて車室内に供給される空気を加熱する放熱器と、車室外に設けられて冷媒を吸熱させる室外熱交換器と、制御手段とを備え、この制御手段により、圧縮機から吐出された冷媒を放熱器にて放熱させ、放熱した当該冷媒を減圧した後、室外熱交換器にて吸熱させて車室内を暖房するものであって、放熱器に対して、空気流通路を流れる空気の上流側に設けられた補助加熱手段を備え、制御手段は、補助加熱手段と放熱器により車室内に供給される空気を加熱する協調運転を実行すると共に、放熱器の入口冷媒温度Ｔｃｘｉｎが当該放熱器の出口冷媒温度ＴＣＩより低くなる条件（Ｔｃｘｉｎ＜ＴＣＩ）と、放熱器と補助加熱手段が発生する全体の暖房能力である全体能力Ｑｔｏｔａｌと補助加熱手段が発生する暖房能力である補助暖房能力Ｑｈｔｒとの差が所定値Ｘ１より小さくなる条件（（Ｑｔｏｔａｌ−Ｑｈｔｒ）＜所定値Ｘ１）と、放熱器と補助加熱手段が発生する全体の暖房能力である全体能力Ｑｔｏｔａｌと補助加熱手段が発生する暖房能力である補助暖房能力Ｑｈｔｒとの差（Ｑｔｏｔａｌ−Ｑｈｔｒ）と、圧縮機の消費電力Ｐｈｐとの比が所定値Ｘ２より小さくなる条件（（Ｑｔｏｔａｌ−Ｑｈｔｒ）／Ｐｈｐ＜Ｘ２）のうちの何れか、若しくは、それらの組み合わせが成立したことに基づき、圧縮機を停止することを特徴とする。
【００１６】
請求項５の発明の車両用空気調和装置は、上記各発明において補助加熱手段は、ＰＴＣヒータであることを特徴とする。
【００１７】
請求項６の発明の車両用空気調和装置は、上記各発明において制御手段は協調運転において、要求される放熱器の暖房能力である要求暖房能力ＴＧＱと放熱器が発生する暖房能力Ｑｈｐとを比較し、この暖房能力Ｑｈｐが要求暖房能力ＴＧＱより不足する分を補助加熱手段の加熱により補完することを特徴とする。
【００１８】
請求項７の発明の車両用空気調和装置は、上記各発明において制御手段は、前記条件が成立した状態が所定時間継続した場合、圧縮機を停止することを特徴とする。
【００１９】
請求項８の発明の車両用空気調和装置は、上記各発明において制御手段は、圧縮機の起動初期には前記条件の成立を判定しないことを特徴とする。
【００２０】
請求項９の発明の車両用空気調和装置は、上記発明において制御手段は、圧縮機の起動後、所定時間経過するまで前記条件の成立を判定しないことを特徴とする。
【発明の効果】
【００２１】
請求項１の発明では、冷媒を圧縮する圧縮機と、車室内に供給する空気が流通する空気流通路と、この空気流通路に設けられ、冷媒を放熱させて車室内に供給される空気を加熱する放熱器と、車室外に設けられて冷媒を吸熱させる室外熱交換器と、制御手段とを備え、この制御手段により、圧縮機から吐出された冷媒を放熱器にて放熱させ、放熱した当該冷媒を減圧した後、室外熱交換器にて吸熱させて車室内を暖房する車両用空気調和装置において、放熱器に対して空気流通路を流れる空気の上流側に補助加熱手段が設けられており、制御手段が、補助加熱手段と放熱器により車室内に供給される空気を加熱する協調運転を実行すると共に、放熱器の入口冷媒温度Ｔｃｘｉｎが当該放熱器の出口冷媒温度ＴＣＩより低くなる条件（Ｔｃｘｉｎ＜ＴＣＩ）が成立したことに基づき、圧縮機を停止するようにした。
【００２２】
ここで、放熱器の入口冷媒温度Ｔｃｘｉｎが当該放熱器の出口冷媒温度ＴＣＩより低くなるということは、放熱器において吸熱現象が生じているということである。請求項１の発明では条件（Ｔｃｘｉｎ＜ＴＣＩ）が成立したことに基づき、制御手段が圧縮機を停止するようにしたので、放熱器の暖房能力が低下して、補助加熱手段により加熱された空気から放熱器が逆に吸熱する状況に陥ったときに、圧縮機を停止してそれ以上無駄に電力が消費される不都合を解消することができるようになる。また、補助加熱手段で加熱された空気の温度が低下することも無くなるので、車室内の快適な暖房も確保されるようになるものである。
【００２３】
請求項２の発明では、冷媒を圧縮する圧縮機と、車室内に供給する空気が流通する空気流通路と、この空気流通路に設けられ、冷媒を放熱させて車室内に供給される空気を加熱する放熱器と、車室外に設けられて冷媒を吸熱させる室外熱交換器と、制御手段とを備え、この制御手段により、圧縮機から吐出された冷媒を放熱器にて放熱させ、放熱した当該冷媒を減圧した後、室外熱交換器にて吸熱させて車室内を暖房する車両用空気調和装置において、放熱器に対して空気流通路を流れる空気の上流側に補助加熱手段が設けられており、制御手段が、補助加熱手段と放熱器により車室内に供給される空気を加熱する協調運転を実行すると共に、放熱器と補助加熱手段が発生する全体の暖房能力である全体能力Ｑｔｏｔａｌと補助加熱手段が発生する暖房能力である補助暖房能力Ｑｈｔｒとの差が所定値Ｘ１より小さくなる条件（（Ｑｔｏｔａｌ−Ｑｈｔｒ）＜Ｘ１）が成立したことに基づき、圧縮機を停止するようにした。
【００２４】
ここで、全体能力Ｑｔｏｔａｌと補助暖房能力Ｑｈｔｒとの差が所定値Ｘ１より小さくなるということは、放熱器が発生する暖房能力が低下し、放熱器において吸熱現象が生じている可能性が高いということである。請求項２の発明では条件（（Ｑｔｏｔａｌ−Ｑｈｔｒ）＜Ｘ１）が成立したことに基づき、制御手段が圧縮機を停止するようにしたので、放熱器の暖房能力が低下して、補助加熱手段により加熱された空気から放熱器が逆に吸熱する状況に陥った危険性が高くなったときに、圧縮機を停止してそれ以上無駄に電力が消費される不都合を解消することができるようになる。また、同様に補助加熱手段で加熱された空気の温度が低下することも無くなるので、車室内の快適な暖房も確保されるようになるものである。
【００２５】
請求項３の発明では、冷媒を圧縮する圧縮機と、車室内に供給する空気が流通する空気流通路と、この空気流通路に設けられ、冷媒を放熱させて車室内に供給される空気を加熱する放熱器と、車室外に設けられて冷媒を吸熱させる室外熱交換器と、制御手段とを備え、この制御手段により、圧縮機から吐出された冷媒を放熱器にて放熱させ、放熱した当該冷媒を減圧した後、室外熱交換器にて吸熱させて車室内を暖房する車両用空気調和装置において、放熱器に対して、空気流通路を流れる空気の上流側に補助加熱手段が設けられており、制御手段が、補助加熱手段と放熱器により車室内に供給される空気を加熱する協調運転を実行すると共に、放熱器と補助加熱手段が発生する全体の暖房能力である全体能力Ｑｔｏｔａｌと補助加熱手段が発生する暖房能力である補助暖房能力Ｑｈｔｒとの差（Ｑｔｏｔａｌ−Ｑｈｔｒ）と、圧縮機の消費電力Ｐｈｐとの比が所定値Ｘ２より小さくなる条件（（Ｑｔｏｔａｌ−Ｑｈｔｒ）／Ｐｈｐ＜Ｘ２）が成立したことに基づき、圧縮機を停止するようにした。
【００２６】
ここで、全体能力Ｑｔｏｔａｌと補助暖房能力Ｑｈｔｒとの差（Ｑｔｏｔａｌ−Ｑｈｔｒ）と、圧縮機の消費電力Ｐｈｐとの比は圧縮機の成績係数（ＣＯＰ）を意味し、これが所定値Ｘ２より小さくなるということは、放熱器が発生する暖房能力が低下し、同様に放熱器において吸熱現象が生じている可能性が高いということである。請求項３の発明では条件（（Ｑｔｏｔａｌ−Ｑｈｔｒ）／Ｐｈｐ＜Ｘ２）が成立したことに基づき、制御手段が圧縮機を停止するようにしたので、放熱器の暖房能力が低下して、補助加熱手段により加熱された空気から放熱器が逆に吸熱する状況に陥った危険性が高くなったときに、圧縮機を停止してそれ以上無駄に電力が消費される不都合を解消することができるようになる。また、同様に補助加熱手段で加熱された空気の温度が低下することも無くなるので、車室内の快適な暖房も確保されるようになるものである。
【００２７】
請求項４の発明では上記請求項１乃至請求項３の条件のうちの何れか、若しくは、それらの組み合わせが成立したことに基づき、制御手段が圧縮機を停止するようにしたので、放熱器の暖房能力が低下して、補助加熱手段により加熱された空気から放熱器が逆に吸熱する状況に陥っていることをより確実に判定し、圧縮機を停止してそれ以上無駄に電力が消費される不都合を解消することができるようになると共に、同様に補助加熱手段で加熱された空気の温度が低下することも無くなり、車室内の快適な暖房を確保することができるようになるものである。
【００２８】
以上のことは放熱器の空気上流側に設けられるべき請求項５の発明の如きＰＴＣヒータを補助加熱手段として用い、請求項６の発明の如く制御手段が、要求される放熱器の暖房能力である要求暖房能力ＴＧＱと放熱器が発生する暖房能力Ｑｈｐとを比較し、この暖房能力Ｑｈｐが要求暖房能力ＴＧＱより不足する分を補助加熱手段の加熱により補完する協調運転を行う場合に特に有効である。
【００２９】
また、請求項７の発明の如く制御手段が、前記条件が成立した状態が所定時間継続した場合に圧縮機を停止するようにすれば、一時的な変動による誤判定を廃し、放熱器の暖房能力が低下して、補助加熱手段により加熱された空気から放熱器が逆に吸熱する状況に陥っていることをより的確に判定して、圧縮機を停止することができるようになる。
【００３０】
また、請求項８の発明の如く制御手段が、圧縮機の起動初期には前記条件の成立を判定しないようにすれば、例えば請求項９の発明の如く圧縮機の起動後、所定時間経過するまで前記条件の成立を判定しないことにより、運転状態の変動が大きい状況での誤判定を廃し、より的確に放熱器による吸熱現象の発生を判断することが可能となるものである。
【図面の簡単な説明】
【００３１】
【図１】本発明を適用した一実施形態の車両用空気調和装置の構成図である。
【図２】図１の車両用空気調和装置のコントローラの電気回路のブロック図である。
【図３】図２のコントローラが行う放熱器における吸熱現象発生の判定動作を説明する図である。
【図４】図２のコントローラが行う放熱器における吸熱現象発生のもう一つの判定動作を説明する図である。
【図５】図２のコントローラが行う放熱器における吸熱現象発生の更にもう一つの判定動作を説明する図である。
【図６】放熱器において吸熱現象が発生する状況を説明する図である。
【図７】放熱器において吸熱現象が発生したときの各能力の関係を説明する図である。
【発明を実施するための形態】
【００３２】
以下、本発明の実施の形態について、図面に基づき詳細に説明する。
【００３３】
図１は本発明の一実施例の車両用空気調和装置１の構成図を示している。本発明を適用する実施例の車両は、エンジン（内燃機関）が搭載されていない電気自動車（ＥＶ）であって、バッテリに充電された電力で走行用の電動モータを駆動して走行するものであり（何れも図示せず）、本発明の車両用空気調和装置１も、バッテリの電力で駆動されるものとする。即ち、実施例の車両用空気調和装置１は、エンジン廃熱による暖房ができない電気自動車において、冷媒回路を用いたヒートポンプ運転により暖房を行い、更に、除湿暖房や除湿冷房、冷房等の各運転モードを選択的に実行するものである。
【００３４】
尚、車両として電気自動車に限らず、エンジンと走行用の電動モータを供用する所謂ハイブリッド自動車にも本発明は有効であり、更には、エンジンで走行する通常の自動車にも適用可能であることは云うまでもない。
【００３５】
実施例の車両用空気調和装置１は、電気自動車の車室内の空調（暖房、冷房、除湿、及び、換気）を行うものであり、冷媒を圧縮する電動式の圧縮機２と、車室内空気が通気循環されるＨＶＡＣユニット１０の空気流通路３内に設けられ、圧縮機２から吐出された高温高圧の冷媒が冷媒配管１３Ｇを介して流入し、この冷媒を車室内に放熱させる放熱器４と、暖房時に冷媒を減圧膨張させる電動弁から成る室外膨張弁６と、冷房時には放熱器として機能し、暖房時には蒸発器として機能すべく冷媒と外気との間で熱交換を行わせる室外熱交換器７と、冷媒を減圧膨張させる電動弁から成る室内膨張弁８と、空気流通路３内に設けられて冷房時及び除湿時に車室内外から冷媒に吸熱させる吸熱器９と、吸熱器９における蒸発能力を調整する蒸発能力制御弁１１と、アキュムレータ１２等が冷媒配管１３により順次接続され、冷媒回路Ｒが構成されている。尚、室外熱交換器７には、室外送風機１５が設けられている。この室外送風機１５は、室外熱交換器７に外気を強制的に通風することにより、外気と冷媒とを熱交換させるものであり、これにより停車中（即ち、車速ＶＳＰが０ｋｍ／ｈ）にも室外熱交換器７に外気が通風されるよう構成されている。
【００３６】
また、室外熱交換器７は冷媒下流側にレシーバドライヤ部１４と過冷却部１６を順次有し、室外熱交換器７から出た冷媒配管１３Ａは冷房時に開放される電磁弁（開閉弁）１７を介してレシーバドライヤ部１４に接続され、過冷却部１６の出口が逆止弁１８を介して室内膨張弁８に接続されている。尚、レシーバドライヤ部１４及び過冷却部１６は構造的に室外熱交換器７の一部を構成しており、逆止弁１８は室内膨張弁８側が順方向とされている。
【００３７】
また、逆止弁１８と室内膨張弁８間の冷媒配管１３Ｂは、吸熱器９の出口側に位置する蒸発能力制御弁１１を出た冷媒配管１３Ｃと熱交換関係に設けられ、両者で内部熱交換器１９を構成している。これにより、冷媒配管１３Ｂを経て室内膨張弁８に流入する冷媒は、吸熱器９を出て蒸発能力制御弁１１を経た低温の冷媒により冷却（過冷却）される構成とされている。尚、蒸発能力制御弁１１は、この内部熱交換器１９の冷媒下流側に設けても良い。
【００３８】
また、室外熱交換器７から出た冷媒配管１３Ａは分岐しており、この分岐した冷媒配管１３Ｄは、暖房時に開放される電磁弁（開閉弁）２１を介して内部熱交換器１９の下流側における冷媒配管１３Ｃに連通接続されている。更に、放熱器４の出口側の冷媒配管１３Ｅは室外膨張弁６の手前で分岐しており、この分岐した冷媒配管１３Ｆは除湿時に開放される電磁弁（開閉弁）２２を介して逆止弁１８の下流側の冷媒配管１３Ｂに連通接続されている。
【００３９】
また、室外膨張弁６には並列にバイパス配管１３Ｊが接続されており、このバイパス配管１３Ｊには、冷房モードにおいて開放され、室外膨張弁６をバイパスして冷媒を流すための電磁弁（開閉弁）２０が介設されている。尚、これら室外膨張弁６及び電磁弁２０と室外熱交換器７との間の配管は１３Ｉとする。
【００４０】
また、吸熱器９の空気上流側における空気流通路３には、外気吸込口と内気吸込口の各吸込口が形成されており（図１では吸込口２５で代表して示す）、この吸込口２５には空気流通路３内に導入する空気を車室内の空気である内気（内気循環モード）と、車室外の空気である外気（外気導入モード）とに切り換える吸込切換ダンパ２６が設けられている。更に、この吸込切換ダンパ２６の空気下流側には、導入した内気や外気を空気流通路３に送給するための室内送風機（ブロワファン）２７が設けられている。
【００４１】
また、図１において５７は実施例の車両用空気調和装置１に設けられた補助加熱手段としての電気ヒータを示している。この電気ヒータ５７は実施例ではＰＴＣヒータ（Ｐｏｓｉｔｉｖｅ  Ｔｅｍｐｅｒａｔｕｒｅ  Ｃｏｅｆｆｉｃｉｅｎｔ：正温度係数ヒータ）から構成されており、放熱器４に対して空気流通路３の流れる空気の上流側となる空気流通路３内に設けられている。そして、電気ヒータ５７に通電されて発熱すると、吸熱器９を経て電気ヒータ５７に流入した空気流通路３内の空気は加熱され、下流側の放熱器４に流入するよう構成されている。即ち、この電気ヒータ５７が所謂ヒータコアとなり、車室内の暖房を補完する。尚、ＰＴＣヒータから成る電気ヒータ５７が放熱器４の空気上流側に設けられている理由は既に述べた通りである。
【００４２】
また、この電気ヒータ５７の空気上流側における空気流通路３内には、内気や外気の放熱器４への流通度合いを調整するエアミックスダンパ２８が設けられている。更に、放熱器４の空気下流側における空気流通路３には、フット、ベント、デフの各吹出口（図１では代表して吹出口２９で示す）が形成されており、この吹出口２９には上記各吹出口から空気の吹き出しを切換制御する吹出口切換ダンパ３１が設けられている。
【００４３】
次に、図２において３２はマイクロコンピュータから構成された制御手段としてのコントローラ（ＥＣＵ）であり、このコントローラ３２の入力には車両の外気温度を検出する外気温度センサ３３と、外気湿度を検出する外気湿度センサ３４と、吸込口２５から空気流通路３に吸い込まれる空気の温度を検出するＨＶＡＣ吸込温度センサ３６と、車室内の空気（内気）の温度を検出する内気温度センサ３７と、車室内の空気の湿度を検出する内気湿度センサ３８と、車室内の二酸化炭素濃度を検出する室内ＣＯ2濃度センサ３９と、吹出口２９から車室内に吹き出される空気の温度を検出する吹出温度センサ４１と、圧縮機２の吐出冷媒圧力Ｐｄを検出する吐出圧力センサ４２と、圧縮機２の吐出冷媒温度を検出する吐出温度センサ４３と、圧縮機２の吸込冷媒圧力を検出する吸込圧力センサ４４と、放熱器４の出口の冷媒の温度（出口冷媒温度ＴＣＩ）を検出する放熱器出口温度センサ４６と、放熱器４の入口の冷媒の温度（入口冷媒温度Ｔｃｘｉｎ）を検出する放熱器入口温度センサ４９と、放熱器４の冷媒圧力ＰＣＩを検出する放熱器圧力センサ４７と、吸熱器９の温度Ｔｅを検出する吸熱器温度センサ４８と、車室内への日射量を検出するための例えばフォトセンサ式の日射センサ５１と、車両の移動速度（車速）を検出するための車速センサ５２と、設定温度や運転モードの切り換えを設定するための空調（エアコン）操作部５３と、室外熱交換器７の温度ＴＸＯを検出する室外熱交換器温度センサ５４と、室外熱交換器７の冷媒圧力を検出する室外熱交換器圧力センサ５６の各出力が接続されている。また、コントローラ３２の入力には更に、電気ヒータ５７の温度Ｔｈｔｒを検出する電気ヒータ温度センサ６１の出力も接続されている。
【００４４】
一方、コントローラ３２の出力には、前記圧縮機２と、室外送風機１５と、室内送風機（ブロワファン）２７と、吸込切換ダンパ２６と、エアミックスダンパ２８と、吸込口切換ダンパ３１と、室外膨張弁６、室内膨張弁８と、各電磁弁２２、１７、２１、２０と、電気ヒータ５７と、蒸発能力制御弁１１が接続されている。そして、コントローラ３２は各センサの出力と空調操作部５３にて入力された設定に基づいてこれらを制御する。
【００４５】
以上の構成で、次に実施例の車両用空気調和装置１の動作を説明する。コントローラ３２は実施例では大きく分けて暖房モードと、除湿暖房モードと、内部サイクルモードと、除湿冷房モードと、冷房モードの各運転モードを切り換えて実行する。先ず、各運転モードにおける冷媒の流れについて説明する。
【００４６】
（１）暖房モードの冷媒の流れ
コントローラ３２により或いは空調操作部５３へのマニュアル操作により暖房モードが選択されると、コントローラ３２は電磁弁２１を開放し、電磁弁１７、電磁弁２２及び電磁弁２０を閉じる。そして、圧縮機２、及び、各送風機１５、２７を運転し、エアミックスダンパ２８は室内送風機２７から吹き出された空気が電気ヒータ５７及び放熱器４に通風される状態とする。これにより、圧縮機２から吐出された高温高圧のガス冷媒は放熱器４に流入する。放熱器４には空気流通路３内の空気が通風されるので、空気流通路３内の空気は放熱器４内の高温冷媒により加熱され、一方、放熱器４内の冷媒は空気に熱を奪われて冷却され、凝縮液化する。
【００４７】
放熱器４内で液化した冷媒は放熱器４を出た後、冷媒配管１３Ｅを経て室外膨張弁６に至る。尚、電気ヒータ５７の通電制御及び作用については後述する。室外膨張弁６に流入した冷媒はそこで減圧された後、室外熱交換器７に流入する。室外熱交換器７に流入した冷媒は蒸発し、走行により、或いは、室外送風機１５にて通風される外気中から熱を汲み上げる。即ち、冷媒回路Ｒがヒートポンプとなる。そして、室外熱交換器７を出た低温の冷媒は冷媒配管１３Ｄ及び電磁弁２１を経て冷媒配管１３Ｃからアキュムレータ１２に入り、そこで気液分離された後、ガス冷媒が圧縮機２に吸い込まれる循環を繰り返す。電気ヒータ５７及び放熱器４にて加熱された空気は吹出口２９から吹き出されるので、これにより車室内の暖房が行われることになる。
【００４８】
コントローラ３２は吐出圧力センサ４２又は放熱器圧力センサ４７が検出する冷媒回路Ｒの高圧圧力に基づいて圧縮機２の回転数を制御すると共に、放熱器温度センサ４６が検出する放熱器４の温度及び放熱器圧力センサ４７が検出する放熱器４の冷媒圧力に基づいて室外膨張弁６の弁開度を制御し、放熱器４の出口における冷媒の過冷却度を制御する。この暖房モードにおける圧縮機２及び室外膨張弁６の制御については後に詳述する。
【００４９】
（２）除湿暖房モードの冷媒の流れ
次に、除湿暖房モードでは、コントローラ３２は上記暖房モードの状態において電磁弁２２を開放する。これにより、放熱器４を経て冷媒配管１３Ｅを流れる凝縮冷媒の一部が分流され、電磁弁２２を経て冷媒配管１３Ｆ及び１３Ｂより内部熱交換器１９を経て室内膨張弁８に至るようになる。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００５０】
吸熱器９で蒸発した冷媒は蒸発能力制御弁１１、内部熱交換器１９を経て冷媒配管１３Ｃにて冷媒配管１３Ｄからの冷媒と合流した後、アキュムレータ１２を経て圧縮機２に吸い込まれる循環を繰り返す。吸熱器９にて除湿された空気は放熱器４を通過する過程で再加熱されるので、これにより車室内の除湿暖房が行われることになる。コントローラ３２は吐出圧力センサ４２又は放熱器圧力センサ４７が検出する冷媒回路Ｒの高圧圧力に基づいて圧縮機２の回転数を制御すると共に、吸熱器温度センサ４８が検出する吸熱器９の温度に基づいて室外膨張弁６の弁開度を制御する。
【００５１】
（３）内部サイクルモードの冷媒の流れ
次に、内部サイクルモードでは、コントローラ３２は上記除湿暖房モードの状態において室外膨張弁６を全閉とする（全閉位置）と共に、電磁弁２１、１７も閉じる。この室外膨張弁６と電磁弁２１、１７が閉じられることにより、室外熱交換器７への冷媒の流入、及び、室外熱交換器７からの冷媒の流出は阻止されることになるので、放熱器４を経て冷媒配管１３Ｅを流れる凝縮冷媒は電磁弁２２を経て冷媒配管１３Ｆに全て流れるようになる。そして、冷媒配管１３Ｆを流れる冷媒は冷媒配管１３Ｂより内部熱交換器１９を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００５２】
吸熱器９で蒸発した冷媒は蒸発能力制御弁１１、内部熱交換器１９を経て冷媒配管１３Ｃを流れ、アキュムレータ１２を経て圧縮機２に吸い込まれる循環を繰り返す。吸熱器９にて除湿された空気は放熱器４を通過する過程で再加熱されるので、これにより車室内の除湿暖房が行われることになるが、この内部サイクルモードでは室内側の空気流通路３内にある放熱器４（放熱）と吸熱器９（吸熱）の間で冷媒が循環されることになるので、外気からの熱の汲み上げは行われず、吸熱器９における吸熱と圧縮機２の消費動力を合わせた分の暖房能力が発揮される。除湿作用を発揮する吸熱器９には冷媒の全量が流れるので、上記除湿暖房モードに比較すると除湿能力は高いが、暖房能力は低くなる。
【００５３】
コントローラ３２は吸熱器９の温度、又は、前述した冷媒回路Ｒの高圧圧力に基づいて圧縮機２の回転数を制御する。このとき、コントローラ３２は吸熱器９の温度によるか高圧圧力によるか、何れかの演算から得られる圧縮機目標回転数の低い方を選択して圧縮機２を制御する。
【００５４】
（４）除湿冷房モードの冷媒の流れ
次に、除湿冷房モードでは、コントローラ３２は電磁弁１７を開放し、電磁弁２１、電磁弁２２及び電磁弁２０を閉じる。そして、圧縮機２、及び、各送風機１５、２７を運転し、エアミックスダンパ２８は室内送風機２７から吹き出された空気が電気ヒータ５７及び放熱器４に通風される状態とする。これにより、圧縮機２から吐出された高温高圧のガス冷媒は放熱器４に流入する。放熱器４には空気流通路３内の空気が通風されるので、空気流通路３内の空気は放熱器４内の高温冷媒により加熱され、一方、放熱器４内の冷媒は空気に熱を奪われて冷却され、凝縮液化していく。
【００５５】
放熱器４を出た冷媒は冷媒配管１３Ｅを経て室外膨張弁６に至り、開き気味で制御される室外膨張弁６を経て室外熱交換器７に流入する。室外熱交換器７に流入した冷媒はそこで走行により、或いは、室外送風機１５にて通風される外気により空冷され、凝縮する。室外熱交換器７を出た冷媒は冷媒配管１３Ａから電磁弁１７を経てレシーバドライヤ部１４、過冷却部１６と順次流入する。ここで冷媒は過冷却される。
【００５６】
室外熱交換器７の過冷却部１６を出た冷媒は逆止弁１８を経て冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００５７】
吸熱器９で蒸発した冷媒は蒸発能力制御弁１１、内部熱交換器１９を経て冷媒配管１３Ｃを介し、アキュムレータ１２に至り、そこを経て圧縮機２に吸い込まれる循環を繰り返す。吸熱器９にて冷却され、除湿された空気は放熱器４を通過する過程で再加熱（暖房時よりも放熱能力は低い）されるので、これにより車室内の除湿冷房が行われることになる。コントローラ３２は吸熱器温度センサ４８が検出する吸熱器９の温度に基づいて圧縮機２の回転数を制御すると共に、前述した冷媒回路Ｒの高圧圧力に基づいて室外膨張弁６の弁開度を制御し、放熱器４の冷媒圧力（放熱器圧力ＰＣＩ）を制御する。
【００５８】
（５）冷房モードの冷媒の流れ
次に、冷房モードでは、コントローラ３２は上記除湿冷房モードの状態において電磁弁２０を開き（この場合、室外膨張弁６は全開（弁開度を制御上限）を含む何れの弁開度でもよい）、エアミックスダンパ２８は電気ヒータ５７及び放熱器４に空気が通風されない状態、又は、通風量が制御される状態とする。これにより、圧縮機２から吐出された高温高圧のガス冷媒は放熱器４に流入する。放熱器４には空気流通路３内の空気は通風されない、又は、わずかに通風されるのみとなり、放熱器４を出た冷媒は冷媒配管１３Ｅを経て電磁弁２０及び室外膨張弁６に至る。
【００５９】
このとき電磁弁２０は開放されているので冷媒は室外膨張弁６を迂回してバイパス配管１３Ｊを通過し、そのまま室外熱交換器７に流入し、そこで走行により、或いは、室外送風機１５にて通風される外気により空冷され、凝縮液化する。室外熱交換器７を出た冷媒は冷媒配管１３Ａから電磁弁１７を経てレシーバドライヤ部１４、過冷却部１６と順次流入する。ここで冷媒は過冷却される。
【００６０】
室外熱交換器７の過冷却部１６を出た冷媒は逆止弁１８を経て冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却される。
【００６１】
吸熱器９で蒸発した冷媒は蒸発能力制御弁１１、内部熱交換器１９を経て冷媒配管１３Ｃを介し、アキュムレータ１２に至り、そこを経て圧縮機２に吸い込まれる循環を繰り返す。吸熱器９にて冷却され、除湿された空気は放熱器４を通過すること無く吹出口２９から車室内に吹き出されるので、これにより車室内の冷房が行われることになる。この冷房モードにおいては、コントローラ３２は吸熱器温度センサ４８が検出する吸熱器９の温度に基づいて圧縮機２の回転数を制御する。
【００６２】
（６）暖房モードにおける圧縮機２及び室外膨張弁６の制御並びに当該暖房モードでの電気ヒータ５７による暖房補完
次に、前記暖房モードにおける圧縮機２及び室外膨張弁６の制御と、当該暖房モードでの電気ヒータ５７による暖房補完制御について説明する。
【００６３】
（６−１）圧縮機２及び室外膨張弁６の基本的制御
コントローラ３２は下記式（Ｉ）から目標吹出温度ＴＡＯを算出する。この目標吹出温度ＴＡＯは、吹出口２９から車室内に吹き出される空気温度の目標値である。
ＴＡＯ＝（Ｔｓｅｔ−Ｔｉｎ）×Ｋ＋Ｔｂａｌ（ｆ（Ｔｓｅｔ、ＳＵＮ、Ｔａｍ））
・・（Ｉ）
ここで、Ｔｓｅｔは空調操作部５３で設定された車室内の設定温度、Ｔｉｎは内気温度センサ３７が検出する車室内空気の温度、Ｋは係数、Ｔｂａｌは設定温度Ｔｓｅｔや、日射センサ５１が検出する日射量ＳＵＮ、外気温度センサ３３が検出する外気温度Ｔａｍから算出されるバランス値である。そして、一般的に、この目標吹出温度ＴＡＯは外気温度Ｔａｍが低い程高く、外気温度Ｔａｍが上昇するに伴って低下する。
【００６４】
コントローラ３２はこの目標吹出温度ＴＡＯから目標放熱器温度ＴＣＯを算出し、次に、この目標放熱器温度ＴＣＯに基づき、目標放熱器圧力ＰＣＯを算出する。そして、この目標放熱器圧力ＰＣＯと、放熱器圧力センサ４７が検出する放熱器４の冷媒圧力（放熱器圧力）ＰＣＩとに基づき、コントローラ３２は圧縮機２の回転数Ｎｃを算出し、この回転数Ｎｃにて圧縮機２を運転する。即ち、コントローラ３２は圧縮機２の回転数Ｎｃにより放熱器４の冷媒圧力（放熱器圧力）ＰＣＩを制御する。
【００６５】
また、コントローラ３２は目標吹出温度ＴＡＯに基づき、放熱器４の目標放熱器過冷却度ＴＧＳＣを算出する。一方、コントローラ３２は、放熱器圧力ＰＣＩと放熱器温度センサ４６が検出する放熱器４の温度（放熱器温度ＴＣＩ）に基づき、放熱器４における冷媒の過冷却度（放熱器過冷却度ＳＣ）を算出する。そして、この放熱器過冷却度ＳＣと目標放熱器過冷却度ＴＧＳＣに基づき、室外膨張弁６の目標弁開度（目標室外膨張弁開度ＴＧＥＣＣＶ）を算出する。そして、コントローラ３２はこの目標室外膨張弁開度ＴＧＥＣＶＶに室外膨張弁６の弁開度を制御する。
【００６６】
コントローラ３２は目標吹出温度ＴＡＯが高い程、目標放熱器過冷却度ＴＧＳＣを上げる方向に演算を行うが、それに限らず、後述する要求暖房能力ＴＧＱと暖房能力Ｑｈｐの差（能力差）や放熱器圧力ＰＣＩ、目標放熱器圧力ＰＣＯと放熱器圧力ＰＣＩの差（圧力差）に基づいて算出してもよい。その場合コントローラ３２は、能力差が小さい程、圧力差が小さい程、室内送風機２７の風量が小さい程、又は、放熱器圧力ＰＣＩが小さい程、目標放熱器過冷却度ＴＧＳＣを下げることになる。
【００６７】
（６−２）電気ヒータ５７（補助加熱手段）の制御（暖房補完）
また、コントローラ３２は、この暖房モードにおいて放熱器４による暖房能力が不足すると判断した場合、電気ヒータ５７に通電して発熱させて放熱器４に流入する空気流通路３内の空気を加熱する。この場合、コントローラ３２は式（ＩＩ）、式（ＩＩＩ）を用いて要求される放熱器４の暖房能力である要求暖房能力ＴＧＱと、放熱器４が発生する暖房能力Ｑｈｐを算出する。
【００６８】
ＴＧＱ＝（ＴＣＯ−Ｔｅ）×Ｃｐａ×ρ×Ｑａｉｒ    ・・（ＩＩ）
Ｑｈｐ＝ｆ（Ｔａｍ、Ｎｃ、ＢＬＶ、ＶＳＰ、ＦＡＮＶｏｕｔ、Ｔｅ）・・（ＩＩＩ）
ここで、Ｔｅは吸熱器温度センサ４８が検出する吸熱器９の温度、Ｃｐａは放熱器４に流入する空気の比熱［ｋｊ／ｋｇ・Ｋ］、ρは放熱器４に流入する空気の密度（比体積）［ｋｇ／ｍ3］、Ｑａｉｒは放熱器４を通過する風量［ｍ3／ｈ］（室内送風機２７のブロワ電圧ＢＬＶ等から推定）、ＶＳＰは車速センサ５２から得られる車速、ＦＡＮＶｏｕｔは室外送風機１５の電圧である。
【００６９】
尚、式（ＩＩ）においてはＱａｉｒに代えて、或いは、それに加えて、放熱器４に流入する空気の温度、又は、放熱器４から流出する空気の温度を採用してもよい。また、式（ＩＩＩ）の圧縮機２の回転数Ｎｃは冷媒流量を示す指標の一例であり、ブロワ電圧ＢＬＶは空気流通路３内の風量を示す指標の一例であり、放熱器４が発生する暖房能力Ｑｈｐはこれらの関数から算出される。また、室外送風機１５の電圧ＦＡＮＶｏｕｔは停車中（ＶＳＰが０）のときの室外熱交換器７の通過風量を示す指標となる。また、Ｑｈｐはそれらと放熱器４の出口冷媒圧力、放熱器４の出口冷媒温度ＴＣＩ、放熱器４の入口冷媒圧力、及び、放熱器４の入口冷媒温度Ｔｃｘｉｎのうちの何れか、若しくは、組み合わせから算出してもよい。
【００７０】
そして、コントローラ３２は、上記式（ＩＩ）を用いて算出した要求暖房能力ＴＧＱが、式（ＩＩＩ）を用いて算出した放熱器４が発生する暖房能力Ｑｈｐより大きいか否か判断する。そして、要求暖房能力ＴＧＱに対して放熱器４の暖房能力Ｑｈｐが足りている場合は電気ヒータ５７の通電を停止し、放熱器４が要求暖房能力ＴＧＱを発生するように冷媒回路Ｒの圧縮機２他の機器を運転する。
【００７１】
一方、放熱器４が発生する暖房能力Ｑｈｐが要求暖房能力ＴＧＱに対して不足する場合は、コントローラ３２は冷媒回路Ｒの放熱器４と電気ヒータ５７の協調運転を実行する。即ち、コントローラ３２は電気ヒータ５７に通電することにより、冷媒回路Ｒの放熱器４による加熱に加えて、電気ヒータ５７による加熱を開始する。
【００７２】
このとき、コントローラ３２は電気ヒータ温度センサ６１の出力に基づき、電気ヒータ５７の要求暖房能力ＴＧＱｈｔｒ＝要求暖房能力ＴＧＱ−暖房能力Ｑｈｐとして、電気ヒータ５７が発生する補助暖房能力Ｑｈｔｒがこの要求暖房能力ＴＧＱｈｔｒとなるように電気ヒータ５７の通電を制御する。即ち、コントローラ３２は要求暖房能力ＴＧＱに対して放熱器４が発生する暖房能力Ｑｈｐが不足する分を、電気ヒータ５７による加熱（補助暖房能力Ｑｈｔｒ）で補完する。これにより、快適な車室内暖房を実現し、且つ、室外熱交換器７の着霜も抑制することができるようになる。
【００７３】
また、放熱器４による暖房能力が不足している状況下で電気ヒータ５７による加熱を実行するので、電気ヒータ５７の運転に伴う効率の悪化も最小限に抑えることが可能となる。これにより、実施例のような電気自動車においては航続距離が低下する不都合を効果的に抑制することが可能となる。
【００７４】
（６−３）放熱器４における吸熱現象発生の判定動作と圧縮機２の制御（その１）
次に、図３を用いて放熱器４における吸熱現象発生の判定動作と、その場合の圧縮機２の制御について説明する。暖房モードの運転時間が経過して室外熱交換器７に着霜が成長した場合等には、外気との熱交換効率が低下する関係上、外気からの吸熱量が低下するため、前述したように放熱器４が発生する暖房能力Ｑｈｐも低下する。
【００７５】
一方、前述した如く電気ヒータ５７は係る放熱器３の暖房能力Ｑｈｐの低下分を補うかたちで発熱されるため、放熱器４の暖房能力Ｑｈｐが低下してくると、やがて電気ヒータ５７の補助暖房能力Ｑｈｔｒが放熱器４の暖房能力Ｑｈｐより大きくなり、この大きくなった補助暖房能力Ｑｈｔｒで加熱された空気が放熱器４に流入するようになるため、やがて放熱器４が放熱せずに逆に吸熱する現象が発生する。
【００７６】
ここで、放熱器４が放熱しているときは、出口冷媒温度ＴＣＩは入口冷媒温度Ｔｃｘｉｎより低くなる。しかしながら、放熱器４で吸熱が行われるようになると、入口冷媒温度Ｔｃｘｉｎが出口冷媒温度ＴＣＩより低くなる。実施例では、コントローラ３２は放熱器入口温度センサ４９と放熱器出口温度センサ４６が検出する放熱器４の入口冷媒温度Ｔｃｘｉｎ（図３の破線）と出口冷媒温度ＴＣＩ（図３の実線）を監視しており、条件（Ｔｃｘｉｎ＜ＴＣＩ）が成立したか否かを暖房モードにおいて常時判定している。
【００７７】
そして、例えば、図３の時刻ｔ１でこの条件（Ｔｃｘｉｎ＜ＴＣＩ）が成立した場合、コントローラ３２は放熱器４で吸熱現象が発生しているものと判定して、圧縮機２を停止する（Ｎｃ＝０）。以後は、電気ヒータ５７の要求暖房能力ＴＧＱｈｔｒ＝要求暖房能力ＴＧＱとして、電気ヒータ５７が発生する補助暖房能力Ｑｈｔｒがこの要求暖房能力ＴＧＱｈｔｒとなるように電気ヒータ５７の通電を制御する。
【００７８】
この例では、以上のように放熱器４の入口冷媒温度Ｔｃｘｉｎが放熱器４の出口冷媒温度ＴＣＩより低くなるという条件（Ｔｃｘｉｎ＜ＴＣＩ）が成立したことで、放熱器４において吸熱現象が生じていることを判定し、コントローラ３２が圧縮機２を停止するようにしたので、放熱器４の暖房能力が低下して、電気ヒータ５７により加熱された空気から放熱器４が逆に吸熱する状況に陥ったときに、圧縮機２を停止してそれ以上無駄に電力が消費される不都合を解消することができるようになる。また、電気ヒータ５７で加熱された空気の温度が低下することも無くなるので、車室内の快適な暖房も確保されるようになる。
【００７９】
尚、コントローラ３２は所定の復帰条件、例えば、室外熱交換器７の除霜を行った場合、或いは、圧縮機２の停止から所定時間経過した場合、若しくは、停止後に外気温度が上昇し、着霜状態ではなくなったことが想定される場合等に圧縮機２を再び起動して放熱器４と電気ヒータ５７による協調運転に復帰するものとする（以下の例も同様）。
【００８０】
（６−４）放熱器４における吸熱現象発生の判定動作と圧縮機２の制御（その２）
次に、図４を用いて放熱器４における吸熱現象発生のもう一つの判定動作と、その場合の圧縮機２の制御について説明する。暖房モードの運転時間が経過して室外熱交換器７に着霜が成長した場合等には、前述したように放熱器４が発生する暖房能力Ｑｈｐも低下してくる。
【００８１】
一方、電気ヒータ５７は前述した如く係る放熱器３の暖房能力Ｑｈｐの低下分を補うかたちで発熱されるため、放熱器４の暖房能力Ｑｈｐが低下してくると、やがて電気ヒータ５７の補助暖房能力Ｑｈｔｒが放熱器４の暖房能力Ｑｈｐより大きくなり、放熱器４と電気ヒータ５７が発生する全体の暖房能力である全体能力Ｑｔｏｔａｌ（＝Ｑｈｐ＋Ｑｈｔｒ）に近づいていく。
【００８２】
ここで、全体能力Ｑｔｏｔａｌと補助暖房能力Ｑｈｔｒとの差が小さくなったということは、放熱器４が発生する暖房能力Ｑｈｐが低下し、放熱器４において吸熱現象が生じている可能性が高いということである。そこで、この例でコントローラ３２は、全体能力Ｑｔｏｔａｌと補助暖房能力Ｑｈｔｒとの差（Ｑｔｏｔａｌ−Ｑｈｔｒ）を算出し、当該差（Ｑｔｏｔａｌ−Ｑｈｔｒ）が所定値Ｘ１（例えば２００Ｗ）より小さくなったか否かを常時判定しており、図４の時刻ｔ２でこの条件（（Ｑｔｏｔａｌ−Ｑｈｔｒ）＜Ｘ１）が成立したものとすると、コントローラ３２は圧縮機２を停止する（図４のＨＰ停止判断）。そして、以後は電気ヒータ５７の要求暖房能力ＴＧＱｈｔｒ＝要求暖房能力ＴＧＱとして、電気ヒータ５７が発生する補助暖房能力Ｑｈｔｒがこの要求暖房能力ＴＧＱｈｔｒとなるように電気ヒータ５７の通電を制御する（図４の実線Ｑｈｔｒ）。
【００８３】
このように、放熱器４の暖房能力Ｑｈｐが低下して、電気ヒータ５７により加熱された空気から放熱器４が逆に吸熱する状況に陥った危険性が高くなったときに、コントローラ３２は圧縮機２を停止してそれ以上無駄に電力が消費される不都合を解消する。また、同様に電気ヒータ５７で加熱された空気の温度が低下することも無くなるので、車室内の快適な暖房も確保されるようになる。
【００８４】
（６−５）放熱器４における吸熱現象発生の判定動作と圧縮機２の制御（その３）
次に、図５を用いて放熱器４における吸熱現象発生の更にもう一つの判定動作と、その場合の圧縮機２の制御について説明する。暖房モードの運転時間が経過して室外熱交換器７に着霜が成長した場合等には、前述したように放熱器４が発生する暖房能力Ｑｈｐも低下してくる。
【００８５】
そして、電気ヒータ５７は前述した如く係る放熱器３の暖房能力Ｑｈｐの低下分を補うかたちで発熱されるため、放熱器４の暖房能力Ｑｈｐが低下してくると、やがて電気ヒータ５７の補助暖房能力Ｑｈｔｒが放熱器４の暖房能力Ｑｈｐより大きくなり、放熱器４と電気ヒータ５７が発生する全体の暖房能力である全体能力Ｑｔｏｔａｌ（＝Ｑｈｐ＋Ｑｈｔｒ）に近づいていき、それらの差である暖房能力Ｑｈｐ（＝Ｑｔｏｔａｌ−Ｑｈｔｒ）も小さくなっていく。
【００８６】
一方、コントローラ３２はこの差（Ｑｔｏｔａｌ−Ｑｈｔｒ）と圧縮機２の消費電力Ｐｈｐの比（Ｑｔｏｔａｌ−Ｑｈｔｒ）／Ｐｈｐを算出している。この比（Ｑｔｏｔａｌ−Ｑｈｔｒ）／Ｐｈｐは圧縮機２の成績係数（ＣＯＰ）を意味しており、この比（Ｑｔｏｔａｌ−Ｑｈｔｒ）／Ｐｈｐが例えば「１」等の所定値Ｘ２より小さくなったか否かの条件（（Ｑｔｏｔａｌ−Ｑｈｔｒ）／Ｐｈｐ＜Ｘ２）を常時判定している。圧縮機２の成績係数が「１」より小さくなるということは、放熱器４が発生する暖房能力Ｑｈｐが低下し、放熱器４において吸熱現象が生じている可能性が高いということである。
【００８７】
そこで、図５の時刻ｔ３でこの条件（（Ｑｔｏｔａｌ−Ｑｈｔｒ）／Ｐｈｐ＜Ｘ２）が成立したものとすると、コントローラ３２は圧縮機２を停止する（図５のＨＰ停止判断）。そして、以後は電気ヒータ５７の要求暖房能力ＴＧＱｈｔｒ＝要求暖房能力ＴＧＱとして、電気ヒータ５７が発生する補助暖房能力Ｑｈｔｒがこの要求暖房能力ＴＧＱｈｔｒとなるように電気ヒータ５７の通電を制御する（図５の実線Ｑｈｔｒ）。
【００８８】
このように、この例の場合も放熱器４の暖房能力Ｑｈｐが低下して、電気ヒータ５７により加熱された空気から放熱器４が逆に吸熱する状況に陥った危険性が高くなったときに、コントローラ３２は圧縮機２を停止してそれ以上無駄に電力が消費される不都合を解消する。また、同様に電気ヒータ５７で加熱された空気の温度が低下することも無くなるので、車室内の快適な暖房も確保されるようになる。
【００８９】
（６−６）放熱器４における吸熱現象発生の判定動作と圧縮機２の制御（その４）
ここで、コントローラ３２により上記各実施例における条件（Ｔｃｘｉｎ＜ＴＣＩ）、条件（（Ｑｔｏｔａｌ−Ｑｈｔｒ）＜Ｘ１）、及び、条件（（Ｑｔｏｔａｌ−Ｑｈｔｒ）／Ｐｈｐ＜Ｘ２）のうちの何れか二つの組み合わせ、或いは、全てを判定し、それら組み合わせ、或いは、全ての条件が成立した場合に放熱器４で吸熱現象が発生しているものと判定して圧縮機２を停止するようにしてもよい。
【００９０】
それにより、放熱器４の暖房能力Ｑｈｐが低下して、電気ヒータ５７により加熱された空気から放熱器４が逆に吸熱する状況に陥っていることをより確実に判定し、圧縮機２を停止してそれ以上無駄に電力が消費される不都合を解消することができるようになると共に、同様に電気ヒータ５７で加熱された空気の温度が低下することも無くなり、車室内の快適な暖房を確保することができるようになる。
【００９１】
（６−７）放熱器４における吸熱現象発生の判定動作と圧縮機２の制御（その５）
また、前述した実施例では各条件が成立したことで圧縮機２を停止するようにしたが、それに限らず、コントローラ３２が、前記各条件が成立した状態が所定時間（例えば３０秒等）継続した場合に圧縮機２を停止するようにしてもよい。そのように所定時間継続することを条件に加えることにより、一時的な変動による誤判定を廃し、放熱器４の暖房能力Ｑｈｐが低下して、電気ヒータ５７により加熱された空気から放熱器４が逆に吸熱する状況に陥っていることをより的確に判定して、圧縮機２を停止することができるようになる。
【００９２】
（６−８）放熱器４における吸熱現象発生の判定動作と圧縮機２の制御（その６）
更に、コントローラ３２が、圧縮機２の起動初期には前記各条件の成立を判定しないようにしてもよい。例えば圧縮機２の起動後、所定時間（例えば２分等）が経過するまで前記各条件の成立を判定しないことにより、運転状態の変動が大きい状況での誤判定を廃し、より的確に放熱器４による吸熱現象の発生を判断することが可能となる。
【００９３】
尚、実施例では暖房モード、除湿暖房モード、除湿冷房モード、冷房モードの各運転モードを切り換えて実行する車両用空気調和装置１について本発明を適用したが、それに限らず、暖房モードのみ行うものにも本発明は有効である。
【００９４】
また、上記各実施例で説明した冷媒回路Ｒの構成や各数値はそれに限定されるものでは無く、本発明の趣旨を逸脱しない範囲で変更可能であることは云うまでもない。
【符号の説明】
【００９５】
１  車両用空気調和装置
２  圧縮機
３  空気流通路
４  放熱器
６  室外膨張弁
７  室外熱交換器
８  室内膨張弁
９  吸熱器
１１  蒸発能力制御弁
１７、２０、２１、２２  電磁弁
２３  熱媒体循環回路（補助加熱手段）
２６  吸込切換ダンパ
２７  室内送風機（ブロワファン）
２８  エアミックスダンパ
３２  コントローラ（制御手段）
５７  電気ヒータ（補助加熱手段）
Ｒ  冷媒回路
【図１】
0006571430.tif 000002
【図２】
0006571430.tif 000003
【図３】
0006571430.tif 000004
【図４】
0006571430.tif 000005
【図５】
0006571430.tif 000006
【図６】
0006571430.tif 000007
【図７】
0006571430.tif 000008